(57)【要約】触媒式燃料電池に有用な新規燃料組成物は、少なくとも２つの成分から構成される。一次燃料の成分は、補助燃料の供給源であって、望ましくない補助燃料の分解を防止するように機能する、メタノールのような界面活性化合物である。補助燃料は、ＮａＢＨ４のような高還元電位を有する水素含有無機化合物であり、高反応性エネルギー源として機能し、一次燃料の触媒による酸化に触媒作用を及ぼすために役立つ。【特許請求の範囲】
【請求項１】
下記を含む燃料組成物：
ａ）少なくとも１つの界面活性化合物を含有する一次燃料；および
ｂ）高還元電位を有する少なくとも１つの水素含有無機化合物を含有する補助燃料。
【請求項２】
前記界面活性化合物が、−ＯＨ官能基を有する化合物である、請求項１記載の燃料組成物。
【請求項３】
前記界面活性化合物が、ＣＨ４Ｏ、Ｃ２Ｈ６Ｏ、Ｃ３Ｈ８Ｏ、Ｃ４Ｈ１０Ｏ、Ｃ５Ｈ１２Ｏ、Ｃ６Ｈ１４Ｏ、エチレングリコールおよびグリセリンから成る群からの少なくとも１つの化合物を含有する、請求項２記載の燃料組成物。
【請求項４】
少なくとも１つの追加化合物をさらに含む、請求項１記載の燃料組成物。
【請求項５】
前記補助燃料が、金属水素化物、ヒドラジンおよびヒドラジン誘導体から成る群からの少なくとも１つの化合物を含有する、請求項１記載の燃料組成物。
【請求項６】
前記補助燃料が、ＬｉＡｌＨ４、ＮａＢＨ４、ＬｉＢＨ４、（ＣＨ３）２ＮＨＢＨ３、ＮａＡｌＨ４、Ｂ２Ｈ６、ＮａＣＮＢＨ３、ＣａＨ２、ＬｉＨ、ＮａＨ、ＫＨおよびナトリウム  ビス（２−メトキシエトキソ）ジヒドリドアルミン酸塩から成る群からの少なくとも１つの化合物を含有する、請求項５記載の燃料組成物。
【請求項７】
約７を超えるｐＨを有する電解質をさらに含む、請求項１記載の燃料組成物。
【請求項８】
前記電解質が実質的にアルカリ金属水酸化物の水溶液である、請求項７記載の燃料組成物。
【請求項９】
前記アルカリ金属水酸化物がＫＯＨである、請求項８記載の燃料組成物。
【請求項１０】
前記電解質が約３Ｍ〜約１２ＭのＫＯＨの濃度を有する、請求項９記載の燃料組成物。
【請求項１１】
前記濃度が実質的に６Ｍである、請求項１０記載の燃料組成物。
【請求項１２】
２重量％〜６０重量％の前記一次燃料および１重量％〜飽和状態の前記補助燃料を含む、請求項７記載の燃料組成物。
【請求項１３】
電力を発生するための、下記を含む燃料電池：
ａ）１つのアノード；
ｂ）１つのカソード；および
ｃ）少なくとも１つの界面活性化合物および高還元電位を有する少なくとも１つの水素含有無機化合物を含有する燃料組成物。
【請求項１４】
前記界面活性化合物の少なくとも１つがアルコールであり、前記水素含有無機化合物の少なくとも１つが金属水素化物、ヒドラジンおよびヒドラジン誘導体から成る群から選択される、請求項１３記載の燃料電池。
【請求項１５】
前記水素含有無機化合物が、ＬｉＡｌＨ４、ＮａＢＨ４、ＬｉＢＨ４、（ＣＨ３）２ＮＨＢＨ３、ＮａＡｌＨ４、Ｂ２Ｈ６、ＮａＣＮＢＨ３、ＣａＨ２、ＬｉＨ、ＮａＨ、ＫＨおよびナトリウム  ビス（２−メトキシエトキソ）ジヒドリドアルミン酸塩から成る群から選択される、請求項１４記載の燃料電池。
【請求項１６】
次の工程を含む電気を発生する方法：
ａ）１つのカソードおよび１つのアノードを含む燃料電池を提供する工程；
ｂ）高還元電位を有する少なくとも１つの水素含有無機化合物および少なくとも１つの界面活性化合物を含有する燃料組成物を提供する工程；
ｃ）前記カソードおよび前記アノードを接続する回路を提供する工程；および
ｄ）前記燃料組成物を酸化するために前記燃料組成物を前記アノードと接触させる工程。
【請求項１７】
前記界面活性化合物の少なくとも１つがアルコールであり、前記水素含有無機化合物の少なくとも１つが金属水素化物、ヒドラジンおよびヒドラジン誘導体から成る群から選択される、請求項１６記載の方法。
【請求項１８】
前記水素含有無機化合物がＬｉＡｌＨ４、ＮａＢＨ４、ＬｉＢＨ４、（ＣＨ３）２ＮＨＢＨ３、ＮａＡｌＨ４、Ｂ２Ｈ６、ＮａＣＮＢＨ３、ＣａＨ２、ＬｉＨ、ＮａＨ、ＫＨおよびナトリウム  ビス（２−メトキシエトキソ）ジヒドリドアルミン酸塩から成る群から選択される、請求項１７記載の方法。
【発明の詳細な説明】
【０００１】
（発明の技術分野および背景）
下記では本発明を例示する目的でのみ添付の図面を参照しながら説明する。
本発明は、電気化学的燃料電池用の液体燃料組成物、その燃料組成物を用いて電気を発生する方法、および電気を発生するためにその燃料組成物を使用する燃料電池に関する。
燃料電池は、化学反応のエネルギーを電気に変換する装置である。燃料電池が有する他の電気エネルギー源より特に優れている利点は、高い効率と環境への影響の優しさである。燃料電池は、電力源としてますます認知されつつあるが、技術的に難しい問題があるために数多くの用途における燃料電池の幅広い使用が阻まれている。
燃料電池は、燃料および酸化剤を各々触媒アノードおよび触媒カソードと接触させることによって電気を発生する。燃料は、アノードと接触すると、触媒上で触媒の働きによって酸化され、電子およびプロトンを生成する。電子は、電極間に接続された電気回路中をアノードからカソードへ移動する。プロトンは、アノードおよびカソードの両方が接触している電解質を通過する。同時に、酸化剤が触媒の働きによってカソードで還元され、アノードで生成された電子およびプロトンを消費する。
【０００２】
一般的な型の燃料電池は、燃料として水素を酸化剤として酸素を使用する。詳細には、水素がアノードで酸化されると、次の化学反応式１に示すように、プロトンおよび電子を放出する：
【化１】
2004517176.tif 000002
プロトンは、カソードに向かって電解質を通過する。電子は、アノードから電気的負荷を通ってカソードへ移動する。カソードでは、次の化学反応式２に示すように、酸素が還元され、水素から生成した電子およびプロトンと結合して水を生成する：
【化２】
2004517176.tif 000003
燃料として水素を使用する燃料電池は、単純で、クリーンである上に効率が良いが、極度の可燃性並びに水素を貯蔵かつ輸送するために必要な大容量の高圧タンクは、水素を動力源とする燃料電池が多くの用途には不適切であることを意味している。
一般に、液体の貯蔵、取扱いおよび輸送は気体よりも簡単である。そこで、液体燃料を燃料電池に使用することが提案されてきた。メタノールのような液体燃料をもとの水素へ変換するための方法が開発されてきた。だが、これらの方法は、単純ではなく、燃料の前処理段階および複雑な燃料調節システムを必要とする。
【０００３】
液体燃料を直接に酸化する燃料電池は、この問題の解決手段である。燃料が燃料電池へ直接に供給されるので、直接的な液体供給燃料電池は、一般に単純である。最も一般的には、メタノールがこれらのタイプの電池に燃料として使用されてきたが、それはメタノールが安価で、様々な供給源から入手でき、さらに高い比エネルギー（５０２５Ｗｈ／ｋｇ）を有するためである。
直接供給式メタノール燃料電池では、メタノールは、次の化学反応式３に示すように、アノードで触媒により酸化されて、電子、プロトンおよび一酸化炭素を生成する：
【化３】
2004517176.tif 000004
一酸化炭素は、アノード上の触媒部位へ緊密に結合する。さらなる酸化のために利用できる部位数が減少し、出力が低下する。１つの解決手段は、白金／ルテニウム合金のようなＣＯ吸着に対して感受性が低いアノード触媒を使用することである。
【０００４】
別の解決手段は、燃料をメタノールと水性電解質液との混合液である「アノード液」として電池内へ導入することである。メタノールは、次の化学反応式４に示すように、アノードで水と反応して二酸化炭素および水素イオンを生成する：
【化４】
2004517176.tif 000005
アノード液を使用する燃料電池では、アノード液の組成は、設計上の重要な検討事項である。アノード液は、最適燃料濃度で高い導電性および高いイオン移動度の両方を有していなければならない。酸性アノード液は、最も一般的に使用されている。不都合なことに、酸性アノード液は、アノード液の酸性がアノードを不動態化または破壊する可能性がある比較的高温の時に最も効率的である。７に近いｐＨを有するアノード液は、アノードには適しているが、効率的な発電のためには低すぎる導電性を有する。その結果として、ほとんどの先行技術において、直接メタノール燃料電池は、固体高分子電解質（ＳＰＥ）膜を使用している。
【０００５】
このプロトン交換膜は、電解質として、および液体アノード液が含まれているアノード区画からの漏れを防止する物理的障壁として、この両方として機能する。ＳＰＥ膜を使用する電池では、カソードは、空気中の酸素に暴露されてプロトン交換膜によってアノードから分離される。燃料電池の固体電解質として一般に使用される１つの膜は、商標「ナフィオン（Ｎａｆｉｏｎ）」の登録商標でデラウェア州ウィルミントン所在のＥ．Ｉ．デュポン社（Ｅ．Ｉ． ＤｕＰｏｎｔ ｄｅ Ｎｅｍｏｕｒｓ）によって販売されているパフルオロカーボン物質である。ＳＰＥ膜を使用した燃料電池は、他のアノード液を基剤とした電池に比較して高い出力密度および長い作動寿命を有している。ＳＰＥ膜燃料電池が有している１つの欠点は、メタノールが膜を通して拡散する傾向から起こる。その結果として、多くのメタノールは、発電には利用されずに蒸発によって消失する。さらに、メタノールがカソードと接触すると、メタノールがカソード上で直接に酸化されるので「短絡回路」が発生し、電気ではなく熱が発生する。さらに、カソード触媒および酸化剤の性質により、しばしば触媒被毒またはカソード焼結が発生する。
拡散の問題は、メタノール含有量が低い（５％以下）アノード液を使用することによって克服される。このような低濃度では、電気出力は、メタノール拡散率によって限定されるようになる。さらに、燃料電池の効率は、消費される燃料の量の関数として電気出力によって測定したときに低下し、燃料輸送、重荷重および廃棄物処理の問題を惹起する。
【０００６】
最後に、高い比エネルギーにもかかわらず、メタノールは、かなり反応性が低い。その結果、直接供給液体メタノール燃料電池の性能は、約５ｍＷｃｍ−２に制限される。
考慮の対象となる代替燃料は、金属水素化物およびヒドラジンおよびその誘導体のような高還元電位を有する水素含有無機化合物から構成される燃料である。このような化合物は、高い比エネルギーを有しており、非常に良く反応する。
このような化合物の１つは、ＮａＢＨ４である。水中では、ＮａＢＨ４は、解離してＢＨ４−を発生する。中性液中では、ＢＨ４−は、次の化学反応式５に従ってアノードで酸化される：
【化５】
2004517176.tif 000006
水素含有無機化合物の燃料としての最大の欠点は、次の化学反応式６に示すとおり、これらの化合物が酸性および中性溶液中で自発的に分解することである：
【化６】
2004517176.tif 000007
塩基性溶液中では、ＢＨ４−は、化学反応式７に従ってアノードで酸化される：
【化７】
2004517176.tif 000008
塩基性溶液中では安定性があるが、ＢＨ４−は、回路が破損した場合でさえ、燃料電池のアノードで見られるように、触媒と接触すると分解する。
そこで、電気化学回路が破損して触媒アノードと接触しても、高出力を発生させることができ、かつ、安定性がある燃料電池用の液体燃料組成物が必要である。
【０００７】
（発明の概要）
上記およびその他の目的は、本発明によって提供される革新的な燃料組成物によって達成される。この燃料組成物は、一次燃料および補助燃料の組合せから構成される。一次燃料は、１つ以上の化合物の混合物であり、それらのうちの少なくとも１つは、界面活性化合物であり、最も好ましくは、メタノールのようなアルコールである。補助燃料は、金属水素化物、ヒドラジンおよびヒドラジン誘導体のような高還元電位を有する１つ以上の水素含有無機化合物の混合物である。
本発明は、燃料組成物の電解質成分が７を超えるｐＨを有する、最も好ましくはＫＯＨのようなアルカリ金属水酸化物の水溶液である「アノード液」としての燃料組成物をさらに提供する。
本発明は、１つのアノード、１つのカソード並びに少なくとも１つの界面活性化合物および高還元電位を有する少なくとも１つの水素含有無機化合物から成る燃料組成物から構成される電力を発生させるための燃料電池をさらに提供する。
さらにまた、本発明は、１つのアノード、１つのカソード並びに少なくとも１つの活性化合物および高還元電位を有する少なくとも１つの水素含有無機化合物から構成される燃料電池を提供する工程、その燃料組成物をアノードと接触させる工程、燃料組成物を酸化させる工程、およびその燃料電池から電気を得る工程を通して電気を発生させる方法を提供する。
【０００８】
（好ましい実施形態の説明）
本発明が提供する燃料組成物は、少なくとも２つの成分：一次燃料および補助燃料から構成される。一次燃料は、１つ以上の化合物の混合物から構成され、そのうちの少なくとも１つは、界面活性化合物、最も好ましくはメタノールのようなアルコールである。補助燃料は、金属水素化物およびヒドラジンおよびその誘導体のような高還元電位を有する１つ以上の水素含有無機化合物の混合物である。
一次燃料の目的は、アノードで酸化させることにより電気エネルギー源にすること、および補助燃料の望ましくない分解を防止することの２つである。後者の機能のために、一次燃料は、あるレベルの界面活性を有していなければならない。本明細書で使用するとき、界面活性は、補助燃料とアノードの触媒部位との間の接触を実質的に防止する特性として定義される。いかなる理論にも限定されなければ、本発明の一次燃料は、おそらく電気回路が２つのメカニズムによって開放されているときに補助燃料の望ましくない自発的酸化を防止すると考えられる。第１のメカニズムは、一次燃料の分子のアノード触媒部位への有効な吸着が補助燃料のその部位への接近を立体的に妨害して、分解を防止するものである。第２のメカニズムは、一次燃料の分子が補助燃料種を効果的に溶媒和するものである。一次燃料分子の殻が補助燃料種を取り囲んでいる限り、その分子の殻は、アノード触媒部位と接触することができないので分解しない。
【０００９】
電気回路が閉じると、吸着された一次燃料分子の酸化が始まる。アノード触媒部位は自由に他の種へ接近できるようになる。補助燃料分子を溶媒和する少なくとも１つの一次燃料分子は、おそらく補助燃料種が酸化されるべきアノードの触媒部位に接近できる前に酸化されるものと思われる。
エネルギー源にする目的で一次燃料を選択する際には、多くの種類の化合物を是認できるが、最も好ましくはアルコール類である。メタノールは、入手し易さおよび高い比エネルギーのため、最も主要な候補である。アノード触媒部位上で吸着させるためには、より大量のアルコール類または他の界面活性化合物を一次燃料として考慮することができる。例えば、この目的には、イソプロパノールまたはグリセロールがメタノールより一層適切であると思われる。補助燃料溶媒和を得るために、理想的な一次燃料は、補助燃料の特性に依存する。
本発明の補助燃料成分は、高還元電位を有する水素含有無機化合物のなかから選択される。ＬｉＡｌＨ４、ＮａＢＨ４、ＬｉＢＨ４、（ＣＨ３）２ＮＨＢＨ３、ＮａＡｌＨ４、Ｂ２Ｈ６、ＮａＣＮＢＨ３、ＣａＨ２、ＬｉＨ、ＮａＨ、ＫＨまたはナトリウム  ビス（２−メトキシエトキソ）ジヒドリドアルミン酸塩のような金属水素化物が補助燃料として適切である。また、ヒドラジンまたはヒドラジン誘導体も好適である。上記のように、高還元電位を有する水素含有無機化合物は、燃料電池のための優れた燃料であるが、過剰反応性に悩まされる。これらの化合物が適切な溶液中で見出され、本発明によるアノード触媒中心部と接触することが防止されれば、それらは安定する。
【００１０】
さらに、補助燃料の存在は、一次燃料の触媒による酸化速度を増大させる。いかなる理論にも限定されなければ、ＣＯやＣＯ２のような一次燃料酸化物は、補助燃料の酸化によってアノード触媒部位から効果的に除去されると考えられる。
従って、本発明の一次燃料と補助燃料の組合せは、本発明の燃料組成物を使用した燃料電池において触媒による酸化に相乗作用効果を及ぼす。
当業者にとって、本発明の燃料組成物の正確な組成に影響を及ぼす多数の要素があることは、明白である。一次燃料として１つの化合物を選択する代わりに、化合物の混合物を使用することは、しばしば好適である。同様に、補助燃料を形成するために化合物の混合物を使用することは、しばしば好適である。
本発明による燃料組成物を配合する際に考慮にすべき要素は、可溶性、安定性、安全性および発生した電流の望ましい品質から生じる要素である。おそらく、一次燃料でも補助燃料でもない添加物を燃料組成物に添加できる。燃料組成物を安定化させ、発生した電気の品質を直接的に修正し、発生した電気の品質を間接的に修正し、または他の何らかの方法で燃料電池で使用される燃料組成物の性能を向上させるために成分の可溶性を修正する添加物を使用できる。工学技術上の問題もまた燃料組成物の正確な組成に影響を与える：例えば、メタノールおよびＮａＢＨ４から構成される燃料組成物は、安定剤としてナトリウム  メトキシドを含有することができる。
【００１１】
本発明の１つの実施形態では、上記のように燃料組成物は、アノード液として供給される、つまり一次燃料および補助燃料に加えて電解液が添加される。好ましい電解液は、ＫＯＨのような好ましくはアルカリ金属水酸化物の塩基性水溶液である（例えば、Ｈｉｒｃｈｅｎｈｏｆｅｒ Ｊ．Ｈ．， Ｓｔａｕｆｅｒ， Ｄ．Ｂ． ａｎｄ Ｅｎｇｌｅｍａｎ Ｒ．Ｒ．， Ｆｕｅｌ Ｃｅｌｌｓ−Ａ Ｈａｎｄｂｏｏｋ（燃料電池ハンドブック）改訂第３版）ＤＯＥ／ＭＥＴＣ−９４−１００６、１９９４年１月を参照）。電解液中のアルカリ金属水酸化物の濃度は、典型的には２〜１２Ｍである。当技術分野では、６ＭのＫＯＨは、周囲温度での燃料電池作動のために理想的であることが証明されている（例えば、Ａｐｐｅｌｂｙ， Ａ．Ｊ． ａｎｄ Ｆｏｕｌｋｅｓ， Ｆ．Ｒ．， Ｆｕｅｌ Ｃｅｌｌ Ｈａｎｄｂｏｏｋ（燃料電池ハンドブック）、Ｋｒｉｅｇｅｒ Ｐｕｂｌｉｓｈｉｎｇ， Ｍａｌａｂａｒ， Ｆｌａ．１９９３年、第８、１０、１１、１２、１３、１６章を参照）。電解液の添加は、アノード液燃料内のイオン移動度にプラスの効果をもたらし、燃料の補助燃料成分の安定性を保証する。アノード液として供給される場合の本発明の燃料組成物の正確な組成を考慮するときには、安定性および可溶性のような要素が考慮に入れられる。
本発明による燃料電池の作動および発電の原理は、図および下記の説明を参照することで、より明確に理解されよう。
【００１２】
図１では、本発明の典型的な単純化した燃料電池１０が示されている。酸化剤１２は、空気中からの酸素であり、カソード１４と自由に接触している。カソード１４は、耐水紙上の活性炭上で２０％白金を使用するスクリーン印刷法を使用して製造される。カソード１４は、電解質チャンバー１８内に含まれている電解質１６と接触して電解質の漏出を防止する障壁として機能する。電解質１６は、６ＭのＫＯＨ水溶液である。電解質チャンバー１８は、アノード２０によって燃料チャンバー２２から隔離されている。アノード２０は、親水性カーボン紙上の活性炭上で２０％白金および１０％ルテニウムを使用するスクリーン印刷法によって製造される。燃料チャンバー２２内に含まれている燃料組成物２４は、メタノールのような界面活性化合物である一次燃料、ＮａＢＨ４のような高還元電位を有する水素含有無機化合物である補助燃料、および６ＭのＫＯＨ水溶液のような電解質との組合せから構成されるアノード液として供給される。負荷２８およびスイッチ３０から構成される電気回路２６は、アノード２０をカソード１４へ電気的に接続する。
スイッチ３０が開放されると、燃料チャンバー２２内のメタノールは、アノード２０上の触媒部位上で吸着され、燃料組成物２４中のＢＨ４−種と触媒部位との接触を防止する。また、メタノールは、ＢＨ４−種を溶媒和し、さらに触媒部位からＢＨ４−種を分離させる。スイッチ３０が閉じると、触媒部位でメタン分子が酸化され、ＢＨ４−種を含むより多くの燃料との接触および酸化のために触媒部位を浄化する。燃料組成物２４の触媒による酸化によって生成した電子は、電気回路２６を通過してカソード１４へ運ばれる。同時に、触媒による酸化によって生成したプロトンは、アノード２０から電解質１６を通過してカソード１４へ運ばれる。カソード１４では、酸化剤１２がカソード１４および回路２６を通って入ってくる電子の作用によって還元され、プロトンと結合して水を生成する。
【００１３】
図２に示した別の実施形態では、燃料電池４０内に液体電解質を含まない燃料組成物が使用される。酸化剤４２は、空気中からの酸素であり、膜電極アセンブリー４４と自由に接触する。膜電極アセンブリー４４は、２つの側面を有する層状サンドイッチ構造を有する。一方の側面は、プロトンを移送して他の分子種の通過を防止する障壁として機能する固体高分子電解質（プロトン交換膜）４８に接続された触媒カソード層４６である。電解質層４８は、アノード層５０へ接続される。アノード層５０は、燃料チャンバー５４内に含まれる燃料組成物５２と接触する。燃料組成物５２は、メタノールのような一次燃料とＮａＢＨ４のような補助燃料との組合せから構成される。負荷５８およびスイッチ６０から構成される電気回路５６は、アノード層５０をカソード層４６へ電気的に接続する。
スイッチ６０が開放されると、燃料組成物５２からのメタノールは、アノード層５０上の触媒部位上に吸着され、ＢＨ４−種と触媒部位との接触を防止する。同様に、メタノールは、ＢＨ４−種を溶媒和し、さらにＢＨ４−種を分離させる。スイッチ６０が閉じると、触媒部位でメタノール分子が酸化され、全燃料成分との接触および酸化のために触媒部位を浄化する。触媒による酸化によって生成した電子は、電気回路５６を通過してカソード層４６へ運ばれる。触媒による酸化によって生成したプロトンは、アノード層５０から電解質層４８を通過してカソード層４６へ運ばれる。カソード層４６では、酸化剤４２が触媒カソード層４６の作用および回路５６を通って入ってくる電子の作用によって還元され、プロトンと結合して水を生成する。
【００１４】
本発明は、多くの他の実施形態も支持できる。上記の実施形態は、酸化剤として空気中からの酸素を使用して説明したが、必要な修正を加えて例えば高酸素濃度を有する有機液（米国特許第５，１８５，２１８号明細書を参照）または過酸化水素溶液のような液体酸化剤を使用することができる。
同様に、アノードおよびカソード構造に関する触媒の選択は、上記の実施形態におけるように、貴金属から製造される触媒に限定されない。（例えば、Ｆｕｅｌ Ｃｅｌｌ Ｓｙｓｔｅｍｓ（燃料電池システム）、（Ｂｌｏｍｅｎ， Ｌ．Ｊ．Ｍ．ＪおよびＭｕｇｅｒｗａ， Ｍ．Ｎ．編集）、Ｐｌｅｎｕｍ Ｐｒｅｓｓ， Ｎｅｗ Ｙｏｒｋ， １９９３年、第２章：第４２−５２頁、第６３−６９頁、第３章：第８８−９７頁、第１１０頁、第７、８、１１章を参照）。
【実施例１】
図１に示し、明細書に記載したものと同様に、アノードおよびカソードの双方ともに４ｃｍ２の表面積を有している燃料電池を構成した。電解質チャンバーに６ＭのＫＯＨを入れ、２０％メタノールおよび８０％３ＭのＫＯＨ溶液の混合液を燃料チャンバー内に入れた。Ｕ＝０．５Ｖでの電流を時間の関数として測定した。５±１ｍＡの電流を６０分間にわたって測定した。関数として測定した電流のグラフは、図３ａに示した。
【実施例２】
Ｕ＝０．５Ｖでの電流を実施例１と同様に燃料電池における時間の関数として測定したが、このときメタノール／ＫＯＨ溶液に対する５重量％のＮａＢＨ４を添加した。２４０±５ｍＡの電流を９０分間にわたって測定した。時間の関数として測定した電流のグラフは、図３ａに示した。
本発明を限定された数の実施形態に関して説明してきたが、本発明の多数の変形、修正およびその他の適用を行えることは理解されるであろう。
【００１５】
【図面の簡単な説明】
【図１】
燃料組成物がアノード液として供給される本発明の燃料電池の実施態様を示した図である。
【図２】
固体電解質膜を組み込んでいる本発明の燃料電池の実施態様を示した図である。
【図３】
ａは、アノード液として２０％メタノールを含む燃料組成物を使用して図１に示したように電池によって発生した時間の関数としての電流の実験結果を示したグラフであり、ｂは、アノード液として２０％メタノールおよび５％ＮａＢＨ４を含む燃料組成物を使用して図１に示したように電池によって発生した時間の関数としての電流の実験結果を示したグラフである。
【符号の説明】
１０、４０  燃料電池、１２、４２  酸化剤、１４  カソード、１６  電解質、１８  電解質チャンバー、２０  アノード、２２、５４  燃料チャンバー、２４、５２  燃料組成物、２６、５６  電気回路、２８、５８  負荷、３０、６０  スイッチ、４４  膜電極アセンブリー、４６  触媒カソード層、４８  固体高分子電解質（プロトン交換膜）、５０  アノード層。
【図１】
2004517176.tif 000009
【図２】
2004517176.tif 000010
【図３】
2004517176.tif 000011
【国際公開パンフレット】
2004517176.tif 000012
2004517176.tif 000013
2004517176.tif 000014
2004517176.tif 000015
2004517176.tif 000016
2004517176.tif 000017
2004517176.tif 000018
2004517176.tif 000019
2004517176.tif 000020
2004517176.tif 000021
2004517176.tif 000022
2004517176.tif 000023
2004517176.tif 000024
2004517176.tif 000025
2004517176.tif 000026
2004517176.tif 000027
2004517176.tif 000028
【国際公開パンフレット（コレクトバージョン）】
2004517176.tif 000029
【手続補正書】
【提出日】平成15年1月13日(2003.1.13)
【手続補正１】
【補正対象書類名】明細書
【補正対象項目名】特許請求の範囲
【補正方法】変更
【補正の内容】
【特許請求の範囲】
【請求項１】
電気化学的燃料電池用の燃料組成物であって、下記を含む燃料組成物：
（ａ）少なくとも１つの界面活性化合物を含有する一次燃料；
（ｂ）高還元電位を有する少なくとも１つの水素含有無機化合物を含有する補助燃料；
（ｃ）約７を超えるｐＨを有する電解質；および
（ｄ）少なくとも１つの追加化合物。
【請求項２】
前記界面活性化合物が、−ＯＨ官能基を有する化合物である、請求項１記載の燃料組成物。
【請求項３】
前記界面活性化合物が、ＣＨ４Ｏ、Ｃ２Ｈ６Ｏ、Ｃ３Ｈ８Ｏ、Ｃ４Ｈ１０Ｏ、Ｃ５Ｈ１２Ｏ、Ｃ６Ｈ１４Ｏ、Ｃ６Ｈ１４Ｏ、エチレングリコールおよびグリセリンから成る群からの少なくとも１つの化合物を含有する、請求項２記載の燃料組成物。
【請求項４】
前記補助燃料が、金属水素化物、ヒドラジンおよびヒドラジン誘導体から成る群からの少なくとも１つの化合物を含有する、請求項１記載の燃料組成物。
【請求項５】
前記補助燃料が、ＬｉＡｌＨ４、ＮａＢＨ４、ＬｉＢＨ４、（ＣＨ３）２ＮＨＢＨ３、ＮａＡｌＨ４、Ｂ２Ｈ６、ＮａＣＮＢＨ３、ＣａＨ２、ＬｉＨ、ＮａＨ、ＫＨおよびナトリウム  ビス（２−メトキシエトキソ）ジヒドリドアルミン酸塩から成る群からの少なくとも１つの化合物を含有する、請求項４記載の燃料組成物。
【請求項６】
前記電解質が実質的にアルカリ金属水酸化物の水溶液である、請求項１記載の燃料組成物。
【請求項７】
前記アルカリ金属水酸化物がＫＯＨである、請求項６記載の燃料組成物。
【請求項８】
前記電解質が約３Ｍ〜約１２ＭのＫＯＨの濃度を有する、請求項７記載の燃料組成物。
【請求項９】
前記濃度が実質的に６Ｍである、請求項８記載の燃料組成物。
【請求項１０】
２重量％〜６０重量％の前記一次燃料および１重量％〜飽和状態の前記補助燃料を含む、請求項１記載の燃料組成物。
【請求項１１】
電気化学的燃料電池用の燃料組成物であって、下記を含む燃料組成物：
（ａ）少なくとも１つの界面活性化合物を含有する一次燃料；
（ｂ）高還元電位を有する少なくとも１つの水素含有無機化合物を含有する補助燃料；および
（ｃ）６ＭのＫＯＨ水溶液。
【請求項１２】
電気化学的燃料電池用の燃料組成物であって、下記を含む燃料組成物：
（ａ）少なくとも１つの界面活性化合物を含有する一次燃料；
（ｂ）高還元電位を有する少なくとも１つの水素含有無機化合物を含有する補助燃料；および
（ｃ）約７を超えるｐＨを有する電解質；
ここで、燃料組成物は、２重量％〜６０重量％の前記一次燃料および１重量％〜６０重量％の前記補助燃料を含む。
【請求項１３】
電力を発生するための、下記を含む燃料電池：
（ａ）１つのアノード；
（ｂ）１つのカソード；および
（ｃ）少なくとも１つの界面活性化合物および高還元電位を有する少なくとも１つの水素含有無機化合物を含有する燃料組成物。
【請求項１４】
前記界面活性化合物の少なくとも１つがアルコールであり、前記水素含有無機化合物の少なくとも１つが金属水素化物、ヒドラジンおよびヒドラジン誘導体から成る群から選択される、請求項１３記載の燃料電池。
【請求項１５】
前記水素含有無機化合物が、ＬｉＡｌＨ４、ＮａＢＨ４、ＬｉＢＨ４、（ＣＨ３）２ＮＨＢＨ３、ＮａＡｌＨ４、Ｂ２Ｈ６、ＮａＣＮＢＨ３、ＣａＨ２、ＬｉＨ、ＮａＨ、ＫＨおよびナトリウム  ビス（２−メトキシエトキソ）ジヒドリドアルミン酸塩ら成る群から選択される、請求項１４記載の燃料電池。
【請求項１６】
次の工程を含む電気を発生する方法：
（ａ）１つのカソードおよび１つのアノードを含む燃料電池を提供する工程；
（ｂ）高還元電位を有する少なくとも１つの水素含有無機化合物および少なくとも１つの界面活性化合物を含有する燃料組成物を提供する工程；
（ｃ）前記カソードおよび前記アノードを接続する回路を提供する工程；および
（ｄ）前記燃料組成物を酸化するために前記燃料組成物を前記アノードと接触させる工程。
【請求項１７】
前記界面活性化合物の少なくとも１つがアルコールであり、前記水素含有無機化合物の少なくとも１つが金属水素化物、ヒドラジンおよびヒドラジン誘導体から成る群から選択される、請求項１６記載の方法。
【請求項１８】
前記水素含有無機化合物が、ＬｉＡｌＨ４、ＮａＢＨ４、ＬｉＢＨ４、（ＣＨ３）２ＮＨＢＨ３、ＮａＡｌＨ４、Ｂ２Ｈ６、ＮａＣＮＢＨ３、ＣａＨ２、ＬｉＨ、ＮａＨ、ＫＨおよびナトリウム  ビス（２−メトキシエトキソ）ジヒドリドアルミン酸塩から成る群から選択される、請求項１７記載の方法。
【国際調査報告】
2004517176.tif 000030
2004517176.tif 000031
2004517176.tif 000032